(57)【要約】【課題】キッチンでの騒音を部屋に響き難くでき、かつ、キッチンから部屋の様子が分るオープン型キッチンを提供する。【解決手段】キッチン１と部屋（ダイニング）２とが連通しているオープン型キッチンにおいて、キッチン１と部屋２とを連通する開口４を開閉可能な引戸１０が設けられ、この引戸１０は視線透過性および吸音性を有しているので、キッチン１で調理作業や片付け作業を行う場合、開口４を引戸１０によって閉じると、キッチン１での騒音の一部が引戸１０の有する吸音性によって吸音されるとともに、引戸１０によって遮音されるので、キッチン１での騒音が部屋２に響き難くなる。また、引戸１０は視線透過性を有しているので、キッチン１から部屋２の様子が分る。【選択図】図３
2011015815.tif 000002
【特許請求の範囲】
【請求項１】
キッチンと部屋とが連通しているオープン型キッチンにおいて、
前記キッチンと部屋とを連通する連通部を開閉可能な引戸が設けられ、
この引戸は視線透過性および吸音性を有していることを特徴とするオープン型キッチン。
【請求項２】
請求項１に記載のオープン型キッチンにおいて、
前記引戸には、その厚さ方向に貫通する複数の開口部が設けられ、
前記複数の開口部のうちの一部に、吸音材が設けられていることを特徴とするオープン型キッチン。
【請求項３】
請求項２に記載のオープン型キッチンにおいて、
前記引戸の少なくとも一方の表面側に、透明なガラス板が前記複数の開口部を塞ぐようにして設けられていることを特徴とするオープン型キッチン。
【請求項４】
請求項１〜３のいずれか一項に記載のオープン型キッチンにおいて、
前記キッチンと前記部屋とを部分的に仕切る仕切壁が設けられており、
この仕切壁の前記部屋側の表面側に、前記連通部を開放した際の前記引戸が納められるようになっていることを特徴とするオープン型キッチン。
【請求項５】
請求項１〜４のいずれか一項に記載のオープン型キッチンにおいて、
前記キッチンのシンクに近い側の側壁に、収納用の凹所が形成されており、
この凹所の内壁面に吸音材が設けられていることを特徴とするオープン型キッチン。
【発明の詳細な説明】
【技術分野】
【０００１】
本発明は、キッチンと部屋とが連通しているオープン型キッチンに関する。
【背景技術】
【０００２】
キッチンと部屋とが開口によって連通しているオープン型キッチンの一例として、特許文献１に記載のものが知られている。
このオープン型キッチンでは、流し台の正面側はダイニングに対面してあり、流し台の正面側には腰壁部が設けてある。
流し台の正面上方の天井には、この天井と前記腰壁部との間の空間すなわち開放部（開口）を開閉自在な仕切り部材が設けてある。この仕切り部材は、天井に取付けたケーシングに巻き戻し可能なロールカーテン等よりなるものである。
【先行技術文献】
【特許文献】
【０００３】
【特許文献１】特開２００５−２５３７６６号公報
【発明の概要】
【発明が解決しようとする課題】
【０００４】
ところで、キッチンと、居間やダイニング等の部屋とが開口によって連通しているオープン型キッチンでは、キッチンでの調理作業が片付け作業の際の騒音が、開口を通して居間やダイニング等の部屋に響いてしまう問題がある。
上記従来のオープン型キッチンでは、開口をロールカーテンによって閉じることができるが、騒音を充分に遮断することができなかった。また、ロールカーテンを閉じてしまうと、キッチンから居間やダイニング等の部屋の様子が分り難くなってしまう。
【０００５】
本発明は上記事情に鑑みてなされたもので、キッチンと部屋とが連通しているオープン型キッチンにおいて、キッチンでの騒音を部屋に響き難くでき、かつ、キッチンから部屋の様子が分るオープン型キッチンを提供することを課題としている。
【課題を解決するための手段】
【０００６】
上記課題を解決するために、上記課題を解決するために、請求項１に記載の発明は、例えば図１〜図９に示すように、キッチン１と部屋（ダイニング）２とが連通しているオープン型キッチンにおいて、
前記キッチン１と部屋２とを連通する連通部（開口）４を開閉可能な引戸１０が設けられ、
この引戸１０は視線透過性および吸音性を有していることを特徴とする。
【０００７】
請求項１に記載の発明によれば、キッチン１で調理作業や片付け作業を行う場合、キッチン１と部屋２とを連通する連通部４を引戸１０によって閉じると、キッチン１での騒音の一部が引戸１０の有する吸音性によって吸音されるとともに、引戸１０によって遮音されるので、キッチン１での騒音が部屋２に響き難くなる。また、引戸１０は視線透過性を有しているので、キッチン１から部屋２の様子が分る。
【０００８】
請求項２に記載の発明は、請求項１に記載のオープン型キッチンにおいて、
前記引戸１０には、その厚さ方向に貫通する複数の開口部１０ｃが設けられ、
前記複数の開口部１０ｃのうちの一部に、吸音材１１が設けられていることを特徴とする。
【０００９】
請求項２に記載の発明によれば、引戸１０に設けられた複数の開口部１０ｃのうちの一部に、吸音材１１が設けられているので、この吸音材１１によって、キッチン１で生じた騒音の一部を吸音できる。
また、吸音材１１が設けられていない開口部１０ｃを通して、キッチン１から部屋２の様子が分る。
【００１０】
請求項３に記載の発明は、請求項２に記載のオープン型キッチンにおいて、
前記引戸１０の少なくとも一方の表面側に、透明なガラス板１２が前記複数の開口部１０ｃを塞ぐようにして設けられていることを特徴とする。
【００１１】
請求項３に記載の発明によれば、引戸１０に設けられた複数の開口部１０ｃを透明なガラス板１２で塞いでいるので、このガラス板１２が遮音板となって、キッチン１からの騒音の一部を遮音できる。
また、複数の開口部１０ｃは透明なガラス板１２で塞がれているので、開口部１０ｃを通しての視線透過性が阻止されることがなく、キッチン１から部屋２の様子が分る。
【００１２】
請求項４に記載の発明は、請求項１〜３のいずれか一項に記載のオープン型キッチンにおいて、
前記キッチン１と前記部屋２とを部分的に仕切る仕切壁３ａが設けられており、
この仕切壁３ａの前記部屋２側の表面側に、前記連通部（開口）４を開放した際の前記引戸が納められるようになっていることを特徴とする。
【００１３】
請求項４に記載の発明によれば、仕切壁３ａの部屋２側の表面側に、連通部（開口）４を開放した際の引戸１０を納めることができる。特に、連通部（開口）４を複数枚の引違い式の引戸１０で開閉する場合、これら複数枚の引戸１０を重ねた状態で連通部（開口）４の邪魔になることなく、仕切壁３ａの表面側に納めることができる。
【００１４】
請求項５に記載の発明は、請求項１〜４のいずれか一項に記載のオープン型キッチンにおいて、
前記キッチン１のシンク８ａに近い側の側壁６に、収納用の凹所１３が形成されており、
この凹所１３の内壁面に吸音材１４が設けられていることを特徴とする。
【００１５】
請求項５に記載の発明によれば、キッチン１で調理作業や片付け作業の際は、シンク８ａやその周辺で騒音が発生し易いが、この騒音の一部がキッチン１のシンク８ａに近い側の側壁６に形成された凹所１３の内壁面に設けられた吸音材１４に吸音されるので、吸音性を向上させることができる。
【発明の効果】
【００１６】
本発明によれば、キッチンと部屋とを連通する連通部を開閉可能な引戸が視線透過性および吸音性を有しているので、連通部を引戸によって閉じることによって、キッチンでの騒音の一部が引戸の有する吸音性によって吸音されるとともに、引戸によって遮音されるので、キッチンでの騒音が部屋に響き難くなり、また、引戸は視線透過性を有しているので、キッチンから部屋の様子が分る。
【図面の簡単な説明】
【００１７】
【図１】本発明に係るオープン型キッチンの一例を示すもので、引戸によって開口を閉じた状態を示す平面図である。
【図２】同、開口を開けた状態を示す平面図である。
【図３】同、図２におけるＡ−Ａ線断面図である。
【図４】同、図２におけるＢ−Ｂ線断面図である。
【図５】同、図３における要部の拡大図である。
【図６】同、図１におけるＣ−Ｃ線矢視図である。
【図７】同、図２におけるＤ−Ｄ線矢視図である。
【図８】同、図１におけるＥ−Ｅ線矢視図である。
【図９】同、図１におけるＸ円部の拡大図である。
【発明を実施するための形態】
【００１８】
以下、図面を参照して本発明に係るオープン型キッチンの実施の形態について説明する。
図１および図２は本発明に係るオープン型キッチンの一例を示す平面図、図３は図２におけるＡ−Ａ線断面図、図４は図２におけるＢ−Ｂ線断面図、図５は図３における要部の拡大図、図６は図１におけるＣ−Ｃ線矢視図、図７は図２におけるＤ−Ｄ線矢視図、図８は図１におけるＥ−Ｅ線矢視図、図９は図１におけるＸ円部の拡大図である。
これらの図において符号１はキッチン、符号２はダイニング（部屋）を示す。キッチン１とダイニング２とは隣接配置されており、これらの間には仕切壁３が配置されている。
【００１９】
前記仕切壁３には、矩形状の開口（連通部）４が形成されている。この開口４はキッチン１とダイニング２とを連通するものである。仕切壁３の両端部にはそれぞれ内壁５，６が直交して配置されている。
内壁５はキッチン１とダイニング２の側方の壁を構成するものであり、内壁６はキッチン１の側方に配置された側壁６である。なお、側壁６はダイニング２側にも突出している。前記開口４の左右方向の一方の端は前記内壁６の表面に位置しており、他方の端は前記内壁５より内側に位置している。また、開口４の上端は天井より下方に位置しており、開口４の下端は、ダイニング２側に仕切壁３に近接して設置された収納家具７の天板７ａの表面に位置している。
【００２０】
キッチン１には、シンク８ａとコンロ８ｂを備えた調理台８が前記収納家具７の背面側に設置されている。シンク８ａとコンロ８ｂとは左右に離間して配置されており、シンク８ａは、調理台８の左右幅方向中央部より側壁６側に配置されており、コンロ８ｂは調理台８の左右幅方向中央部より内壁５側に寄せて配置されている。
また、調理台８の天板は前記収納家具７の天板７ａより一段低くなっている。また、コンロ８ｂの上方には、レンジフード９（図３参照）が設けられている。
前記コンロ８ｂは、図１および図２に示すように、前記仕切壁３のうち、コンロ８ｂの上方空間とダイニング２とを仕切る仕切壁３ａの裏側に配置されている。この仕切壁３ａは平面視において、コンロ８ｂより側壁６側に突出していおり、その端部に前記開口４の左右方向の他方の端が位置している。
【００２１】
前記仕切壁３の前記ダイニング２側に面する表面側には、図３〜図５に示すように、天井から垂設された下り壁３ｂが設けられている。この下り壁３ｂの下端面の位置は、前記開口４の上端の位置とほぼ一致しており、該下り壁３ｂの下端面と、前記収納家具７の天板７ａとの間には、開口４を開閉可能な引戸１０が３枚設けられている。３枚の引戸１０・・・は引違い式の引戸であり、それぞれ下り壁３ｂから吊持された吊戸となっている。
引戸１０の上下の長さは、前記開口４の上下の長さに等しくなっており、引戸１０の左右の幅は前記仕切壁３ａの左右の幅より若干短くなっている。
このような３枚の引戸１０・・・は、図２に示すように、仕切壁３ａのダイニング２側の表面側に、３枚重ねて納められるようになっている。つまり、仕切壁３ａの表面側に、開口４を開放した際の３枚の引戸１０・・・が納められるようになっている。
図１に示すように、３枚の引戸１０・・・はそれらを引き出して、互いに端部が重なるようにして配置して開口４を閉じた際に、前記壁５と側壁６との間の距離と等しい長さとなるように、引戸１０の左右の幅（長さ）が決定されている。
【００２２】
前記引戸１０は、視線透過性および吸音性を有している。
すなわちまず、図５に示すように、前記引戸１０は、框材１０ａを矩形枠状に組み立てた矩形枠内に、複数の横桟材１０ｂ・・・を上下に所定間隔で配置するとともに、横桟材１０ｂの端部を矩形枠の縦方向の框材１０ａに固定してなる引戸本体を備えている。このような引戸本体は、上下に隣り合う横桟材１０ｂ，１０ｂ間、および上下の框材１０ａとこれに隣り合う横桟材１０ｂとの間が横長のスリット状の開口部１０ｃとなっている。このようにして、引戸１０には、その厚さ方向に貫通する複数の開口部１０ｃ・・・が設けられている。
これら複数の開口部１０ｃ・・・のうち、引戸１０の高さ方向の略上半分に位置する開口部１０ｃには、吸音材１１が設けられている。吸音材１１としては、ポリウール（商品名）等のポリエステル不織布等が使用されるが、これに限るものではない。ポリウールは、グラスウールと同じ程度の吸音特性を持っており、しかも断熱性能も極めて優れている。
吸音材１１は、前記開口部１０ｃの深さ方向全域に亙って設けられているのではなく、深さ方向の略半分の領域に設けられている。
このように、引戸１０の高さ方向の略上半分に位置する開口部１０ｃに吸音材１１を充填することによって、引戸１０は吸音性を有しており、また、引戸１０の高さ方向の略下半分に位置する開口部１０ｃには吸音材１１を充填していないので、この開口部１０ｃによって視線透過性を有している。
【００２３】
また、引戸１０のキッチン１側を向く表面側には、透明なガラス板１２が複数の開口部１０ｃを塞ぐようにして設けられている。つまり、引戸１０の前記引戸本体のキッチン１側を向く表面には矩形枠の内側全域に亙ってガラス板１２が設けられている。なお、ガラス板１２の表面は、框材１０ａの表面と面一になっている。
また、前記キッチン１のシンク８ａに近い側の側壁６には、図１、図２、図４、図９に示すように、収納用の凹所１３が形成されている。この凹所１３は縦長の矩形状の凹所であり、例えば調理に使用するスパイス等を収納するようになっている。したがって、この凹所１３には上下２段の棚１３ａが設けられている。また、凹所１３の奥側の壁面には、吸音材１４が貼り付けられている。
【００２４】
本実施の形態のオープン型キッチンでは、キッチン１で調理作業や片付け作業を行う場合、図１、図６、図８等に示すように、仕切壁３ａの表面側に納められていた３枚の引戸１０・・・のうち、２枚の引戸１０，１０を引き出して、キッチン１とダイニング２とを連通する開口４を閉じると、キッチン１での騒音の一部が引戸１０の表面にあるガラス板１２よって遮音され、さらに、このガラス板１２を透過した騒音の一部が吸音材１１によって吸音される。
また、キッチン１での騒音の一部は引戸１０の下半分にある開口部１０ｃを通り抜けるが、開口部１０ｃを通り抜けた際に、この騒音の一部が、引戸１０の上半分にある開口部１０ｃに回り込み、この開口部１０ｃに設けられている吸音材１１に吸音される。
このように、キッチン１での騒音の殆どは、吸音材１１に吸音されるとともに、ガラス板１２によって遮音されるので、キッチン１での騒音がダイニング２に響き難くなる。
また、皿洗い等の際にシンク８ａで生じる騒音の一部は、側壁６に形成された凹所１３の内壁面に設けられた吸音材１４に吸音されるので、吸音性をさらに向上させることができる。
また、引戸１０の下半分に設けられた開口部１０ｃを通して、キッチン１からダイニング２の様子が分る。この際、引戸１０の表面にはガラス板１２が設けられているが、このガラス板１２は透明であるので、開口部１０ｃを通しての視線透過性が阻止されることがない。
【００２５】
さらに、引戸１０の表面にガラス板１２が設けられているので、シンク８ａ等から水飛沫が上がっても、この水分が引戸１０の開口部１０ｃに侵入するのを防止できる。したがって、開口部１０ｃに設けられた吸音材１１に水分がしみ込むこともない。
また、仕切壁３ａのダイニング２側の表面側に、開口４を開放した際の３枚の引戸１０・・・を納めることができるので、引戸１０が開口４の邪魔になることがない。
さらに、引戸１０・・・によって開口４を閉じることによって、キッチン１をダイニング２側から隠すことができるので、不意の来客等の際に、片づけが終了していないキッチン１を見せずに済む。
また、引戸１０・・・によって開口４を閉じることによって、３枚の引戸１０・・・の表面全体がダイニング２側に露出するが、引戸１０・・・には複数の開口部１０ｃがあり、その一部の開口部１０ｃには吸音材１１が設けられているので、ダイニング２で音楽を聞く際の音響効果向上に役立つ。
【００２６】
なお、本実施の形態では、本発明を、キッチン１とダイニング２とが開口４を有する仕切壁３によって仕切られたセミオープン型のキッチンに適用した場合を例にとって説明したが、本発明はこれに限ることなく、例えばアイランド型やペニンシュラ型等、仕切壁がなく、キッチンとダイニング等の部屋が繋がったオープン型のキッチンにも適用できる。
この場合、本実施の形態のような開口４はないので、キッチンと部屋とを連通する連通部を引戸によって開閉するように構成すればよい。
【符号の説明】
【００２７】
１  キッチン
２  ダイニング
３ａ  仕切壁
４  開口（連通部）
６  側壁
８ｂ  シンク
１０  引戸
１０ｃ  開口部
１１，１４  吸音材
１２  ガラス板
１３  凹所
【図１】
2011015815.tif 000003
【図２】
2011015815.tif 000004
【図３】
2011015815.tif 000005
【図４】
2011015815.tif 000006
【図５】
2011015815.tif 000007
【図６】
2011015815.tif 000008
【図７】
2011015815.tif 000009
【図８】
2011015815.tif 000010
【図９】
2011015815.tif 000011